(57)【要約】【課題】  励起光の利用効率を高めることを可能とする光源装置及び投写型映像表示装置を提供する。【解決手段】  光源装置は、励起光を出射する光源１０と、回転軸を中心として回転するカラーホイール２０とを備える。カラーホイール２０は、励起光に応じて発光光を発光する発光体と、励起光を透過して発光光を反射するダイクロイックミラー膜２２Ａと、励起光を少なくとも反射するダイクロイックミラー膜２２Ｂとを有する。発光体は、励起光の光路上において、ダイクロイックミラー膜２２Ａよりも光源１０から遠い側に設けられ、ダイクロイックミラー膜２２Ｂよりも光源１０に近い側に設けられる。ダイクロイックミラー膜２２Ａを透過する励起光及びダイクロイックミラー膜２２Ｂで反射された励起光は、発光体に導かれる。【選択図】  図２
2012159685.tif 000002
【特許請求の範囲】
【請求項１】
励起光を出射する光源と、
回転軸を中心として回転する透過型回転体とを備えた光源装置であって、
前記透過型回転体は、前記励起光に応じて発光光を発光する発光体と、前記励起光を透過して前記発光光を反射する第１反射体と、前記励起光を少なくとも反射する第２反射体とを有しており、
前記発光体は、前記励起光の光路上において、前記第１反射体よりも前記光源から遠い側に設けられており、
前記発光体は、前記励起光の光路上において、前記第２反射体よりも前記光源に近い側に設けられており、
前記第１反射体を透過する前記励起光及び前記第２反射体で反射された前記励起光は、前記発光体に導かれることを特徴とする光源装置。
【請求項２】
前記透過型回転体は、前記励起光の光路上において、前記光源に近い側に設けられた第１回転盤と、前記光源から遠い側に設けられた第２回転盤とを有しており、
前記発光体は、前記第１回転盤及び前記第２回転盤のうち、少なくとも一方の回転盤に設けられており、
前記第１回転盤は、前記第１反射体を有しており、
前記第２回転盤は、前記第２反射体を有しており、
前記第２反射体は、前記励起光を反射して前記発光光を透過することを特徴とする請求項１に記載の光源装置。
【請求項３】
前記発光体は、前記第１回転盤及び前記第２回転盤の双方に設けられることを特徴とする請求項２に記載の光源装置。
【請求項４】
前記透過型回転体は、前記励起光の光路上に設けられる１つの回転盤を有しており、
前記１つの回転盤は、前記発光体、前記第１反射体及び前記第２反射体を有しており、
前記第１反射体は、前記回転軸を中心とする放射方向において、前記第２反射体と並んで設けられており、
前記励起光の光路上には、前記発光体から発光された前記発光光を透過して、前記発光体を透過する前記励起光を前記第２反射体に導き、前記第２反射体で反射された前記励起光を前記発光体に導く導光ミラーが設けられることを特徴とする請求項１に記載の光源装置。
【請求項５】
励起光を出射する光源と、
回転軸を中心として回転する回転体とを備えた光源装置であって、
前記回転体は、前記励起光の光路上において、前記光源に近い側に設けられた第１回転盤と、前記光源から遠い側に設けられた第２回転盤とを有しており、
前記発光体は、前記第１回転盤及び前記第２回転盤の双方に設けられることを特徴とする光源装置。
【請求項６】
請求項１又は請求項５に記載の光源装置と、
前記光源装置から出射される光を変調する光変調素子と、
前記光変調素子によって変調される光を投写する投写ユニットとを備えることを特徴とする投写型映像表示装置。
【発明の詳細な説明】
【技術分野】
【０００１】
本発明は、励起光として用いる第１色成分光を出射する光源と、第１色成分光に応じて第２色成分光を発光する発光体とを備える光源装置及び投写型映像表示装置に関する。
【背景技術】
【０００２】
従来、光源と、光源から出射された光を変調する光変調素子と、光変調素子によって変調された光を投写面上に投写する投写ユニットとを有する投写型映像表示装置が知られている。
【０００３】
ここで、光源から出射される光を励起光として、赤成分光、緑成分光、青成分光などの基準映像光を発光する発光体を有する投写型映像表示装置が提案されている（例えば、特許文献１）。具体的には、各色成分光を発光する複数種類の発光体がカラーホイールに設けられており、カラーホイールの回転によって、各色成分光が時分割で出射される。
【先行技術文献】
【特許文献】
【０００４】
【特許文献１】特開２００４−３４１１０５号公報
【発明の概要】
【発明が解決しようとする課題】
【０００５】
ところで、発光体が励起光の全てを使い切れないケースが想定される。言い換えると、励起光の利用効率を高めることが好ましい。
【０００６】
そこで、本発明は、上述した課題を解決するためになされたものであり、励起光の利用効率を高めることを可能とする光源装置及び投写型映像表示装置を提供することを目的とする。
【課題を解決するための手段】
【０００７】
第１の特徴に係る光源装置は、励起光（例えば、青成分光Ｂ）を出射する光源（光源１０）と、回転軸を中心として回転する透過型回転体（例えば、カラーホイール２０など）とを備える。前記透過型回転体は、前記励起光に応じて発光光（例えば、赤成分光Ｒ、緑成分光Ｇ）を発光する発光体（例えば、赤領域膜２１Ｒ、緑領域膜２１Ｇなど）と、前記励起光を透過して前記発光光を反射する第１反射体（例えば、ダイクロイックミラー膜２２Ａなど）と、前記励起光を少なくとも反射する第２反射体（例えば、ダイクロイックミラー膜２２Ｂなど）とを有する。前記発光体は、前記励起光の光路上において、前記第１反射体よりも前記光源から遠い側に設けられる。前記発光体は、前記励起光の光路上において、前記第２反射体よりも前記光源に近い側に設けられる。前記第１反射体を透過する前記励起光及び前記第２反射体で反射された前記励起光は、前記発光体に導かれる。
【０００８】
第１の特徴において、前記透過型回転体は、前記励起光の光路上において、前記光源に近い側に設けられた第１回転盤（例えば、第１回転盤２０Ａなど）と、前記光源から遠い側に設けられた第２回転盤（例えば、第２回転盤２０Ｂなど）とを有する。前記発光体は、前記第１回転盤及び前記第２回転盤のうち、少なくとも一方の回転盤に設けられる。前記第１回転盤は、前記第１反射体を有する。前記第２回転盤は、前記第２反射体を有する。前記第２反射体は、前記励起光を反射して前記発光光を透過する。
【０００９】
第１の特徴において、前記発光体は、前記第１回転盤及び前記第２回転盤の双方に設けられる。
【００１０】
第１の特徴において、前記透過型回転体は、前記励起光の光路上に設けられる１つの回転盤（例えば、回転盤１２０Ｘ）を有する。前記１つの回転盤は、前記発光体、前記第１反射体（ダイクロイックミラー膜１２２）及び前記第２反射体（反射ミラー膜１２３）を有する。前記第１反射体は、前記回転軸を中心とする放射方向において、前記第２反射体と並んで設けられる。前記励起光の光路上には、前記発光体から発光された前記発光光を透過して、前記発光体を透過する前記励起光を前記第２反射体に導き、前記第２反射体で反射された前記励起光を前記発光体に導く導光ミラー（ダイクロイックミラー１３１及び反射ミラー１３２）が設けられる。
【００１１】
第２の特徴に係る光源装置は、励起光を出射する光源と、回転軸を中心として回転する回転体とを備える。前記回転体は、前記励起光の光路上において、前記光源に近い側に設けられた第１回転盤と、前記光源から遠い側に設けられた第２回転盤とを有する。前記発光体は、前記第１回転盤及び前記第２回転盤の双方に設けられる。
【００１２】
第３の特徴に係る投写型映像表示装置は、第１の特徴又は第２の特徴に係る光源装置と、前記光源装置から出射される光を変調する光変調素子と、前記光変調素子によって変調される光を投写する投写ユニットとを備える。
【発明の効果】
【００１３】
本発明によれば、励起光の利用効率を高めることを可能とする光源装置及び投写型映像表示装置を提供することができる。
【図面の簡単な説明】
【００１４】
【図１】図１は、第１実施形態に係る投写型映像表示装置１００を示す図である。
【図２】図２は、第１実施形態に係るカラーホイール２０を示す図である。
【図３】図３は、第１実施形態に係る第１回転盤２０Ａを示す図である。
【図４】図４は、第１実施形態の変更例１に係るカラーホイール２０を示す図である。
【図５】図５は、第１実施形態の変更例２に係るカラーホイール２０を示す図である。
【図６】図６は、第１実施形態の変更例２に係るカラーホイール２０を示す図である。
【図７】図７は、第１実施形態の変更例３に係るカラーホイール１２０を示す図である。
【図８】図８は、第１実施形態の変更例３に係る回転盤１２０Ｘを示す図である。
【図９】図９は、第１実施形態の変更例４に係るカラーホイール２２０を示す図である。
【図１０】図１０は、第２実施形態に係るカラーホイール３２０を示す図である。
【図１１】図１１は、第２実施形態に係るカラーホイール３２０を示す図である。
【図１２】図１２は、第２実施形態に係るカラーホイール４２０を示す図である。
【図１３】図１３は、第２実施形態に係るカラーホイール４２０を示す図である。
【発明を実施するための形態】
【００１５】
以下において、本発明の実施形態に係る光源装置及び投写型映像表示装置について、図面を参照しながら説明する。なお、以下の図面の記載において、同一又は類似の部分には、同一又は類似の符号を付している。
【００１６】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１７】
［第１実施形態の概要］
第１実施形態に係る光源装置は、励起光を出射する光源と、回転軸を中心として回転する透過型回転体とを備える。透過型回転体は、励起光に応じて被励起光を発光する発光体と、励起光を透過して発光光を反射する第１反射体と、励起光を少なくとも反射する第２反射体とを有する。発光体は、励起光の光路上において、第１反射体よりも光源から遠い側に設けられる。発光体は、励起光の光路上において、第２反射体よりも光源に近い側に設けられる。第１反射体を透過する励起光及び第２反射体で反射された励起光は、発光体に導かれる。
【００１８】
第１実施形態によれば、第１反射体を透過する励起光及び第２反射体で反射された励起光は、発光体に導かれる。言い換えると、第１反射体を透過する励起光のうち、発光光の発光に寄与しなかった励起光は、第２反射体で反射されて発光体に導かれる。従って、励起光の利用効率が高まる。
【００１９】
なお、発光光は、映像を構成する基準映像光であり、例えば、赤成分光、緑成分光又は青成分光である。
【００２０】
［第１実施形態の詳細］
（投写型映像表示装置）
以下において、第１実施形態に係る投写型映像表示装置について、図面を参照しながら説明する。図１は、第１実施形態に係る投写型映像表示装置１００を示す図である。なお、第１実施形態では、基準映像光として、赤成分光Ｒ、緑成分光Ｇ及び青成分光Ｂを用いるケースについて例示する。
【００２１】
図１に示すように、投写型映像表示装置１００は、光源１０と、カラーホイール２０と、ロッドインテグレータ３０と、折り返しミラー４０と、ＤＭＤ５０と、投写ユニット６０とを有する。
【００２２】
光源１０は、励起光を出射する。第１実施形態では、光源１０は、青成分光Ｂを出射する。なお、青成分光Ｂは、基準映像光として用いられるとともに、赤成分光Ｒ及び緑成分光Ｇの励起光としても用いられる。光源１０は、例えば、ＬＤ（Ｌａｓｅｒ  Ｄｉｏｄｅ）やＬＥＤ（Ｌｉｇｈｔ  Ｅｍｉｔｔｉｎｇ  Ｄｉｏｄｅ）などである。
【００２３】
カラーホイール２０は、励起光（青成分光Ｂ）の光軸に沿って延びる回転軸Ｘを中心として回転するように構成される。カラーホイール２０は、励起光（青成分光Ｂ）の光路上において、光源１０に近い側に設けられた第１回転盤２０Ａと、光源１０から遠い側に設けられた第２回転盤２０Ｂとを有する。
【００２４】
第１実施形態では、カラーホイール２０は、赤成分光Ｒ、緑成分光Ｇ及び青成分光Ｂを光源１０の反対側に出射する透過型回転体の一例である。
【００２５】
具体的には、図２及び図３に示すように、第１回転盤２０Ａは、赤領域膜２１Ｒと、緑領域膜２１Ｇと、青領域２１Ｂと、ダイクロイックミラー膜２２Ａとを有する。また、第２回転盤２０Ｂは、ダイクロイックミラー膜２２Ｂを有する。第１回転盤２０Ａ及び第２回転盤２０Ｂは、例えば、ガラス板などによって構成される。
【００２６】
なお、図２は、カラーホイール２０を側方から見た図であり、図３は、第１回転盤２０Ａを図２に示すＡ側から見た図である。
【００２７】
赤領域膜２１Ｒは、光源１０から出射される青成分光Ｂ（励起光）に応じて赤成分光Ｒ（発光光）を発光する発光体Ｒを有する。発光体Ｒは、蛍光体或いは燐光体である。
【００２８】
赤領域膜２１Ｒは、図２に示すように、光源１０から遠いホイール面に設けられる。また、赤領域膜２１Ｒは、図３に示すように、回転軸Ｘを中心とする円環領域のうち、所定の中心角度θＲを有する領域である。なお、赤領域膜２１Ｒは、カラーホイール２０の回転中において、青成分光Ｂ（励起光）が照射されるべき領域であることは勿論である。
【００２９】
緑領域膜２１Ｇは、光源１０から出射される青成分光Ｂ（励起光）に応じて緑成分光Ｇ（発光光）を発光する発光体Ｇを有する。発光体Ｇは、蛍光体或いは燐光体である。
【００３０】
緑領域膜２１Ｇは、図２に示すように、例えば、光源１０から遠いホイール面に設けられる。また、緑領域膜２１Ｇは、図３に示すように、回転軸Ｘを中心とする円環領域のうち、所定の中心角度θＧを有する領域である。なお、緑領域膜２１Ｇは、カラーホイール２０の回転中において、青成分光Ｂ（励起光）が照射されるべき領域であることは勿論である。
【００３１】
青領域２１Ｂは、青成分光Ｂを透過する透明領域である。また、青領域２１Ｂは、図３に示すように、回転軸Ｘを中心として所定の中心角θＢを有する扇形状の領域である。
【００３２】
このように、カラーホイール２０の回転に伴って、赤成分光Ｒ、緑成分光Ｇ及び青成分光Ｂが時分割で出射される。
【００３３】
ダイクロイックミラー膜２２Ａは、青成分光Ｂ（励起光）を透過して赤成分光Ｒ及び緑成分光Ｇ（発光光）を反射する第１反射体である。ダイクロイックミラー膜２２Ａは、図２に示すように、例えば、光源１０から遠いホイール面に設けられる。また、ダイクロイックミラー膜２２Ａは、図３に示すように、回転軸Ｘを中心として所定の中心角θＲ＋θＧを有する扇形状の領域である。言い換えると、光源１０から遠いホイール面のうち、青領域２１Ｂを除いた領域である。
【００３４】
なお、ダイクロイックミラー膜２２Ａは、ホイール面の全面に設けられていてもよい。
【００３５】
ダイクロイックミラー膜２２Ｂは、青成分光Ｂ（励起光）を少なくとも反射する第２反射体である。第１実施形態では、ダイクロイックミラー膜２２Ｂは、赤成分光Ｒ及び緑成分光Ｇ（発光光）を透過して青成分光Ｂ（励起光）を反射する。ダイクロイックミラー膜２２Ｂは、図２に示すように、例えば、光源１０に近いホイール面に設けられる。
【００３６】
なお、ダイクロイックミラー膜２２Ｂは、カラーホイール２０の回転中において、青領域２１Ｂと同期する領域に設けられていないことに留意すべきである。
【００３７】
ここで、上述した赤領域膜２１Ｒ（発光体Ｒ）及び緑領域膜２１Ｇ（発光体Ｇ）は、青成分光Ｂ（励起光）の光路上において、ダイクロイックミラー膜２２Ａよりも光源１０から遠い側に設けられる。また、赤領域膜２１Ｒ（発光体Ｒ）及び緑領域膜２１Ｇ（発光体Ｇ）は、青成分光Ｂ（励起光）の光路上において、ダイクロイックミラー膜２２Ｂよりも光源１０に近い側に設けられる。
【００３８】
従って、ダイクロイックミラー膜２２Ａを透過する青成分光Ｂ（励起光）が赤領域膜２１Ｒ（発光体Ｒ）及び緑領域膜２１Ｇ（発光体Ｇ）に導かれる。また、赤成分光Ｒ及び緑成分光Ｇ（発光光）の発光に寄与しなかった青成分光Ｂ（励起光）がダイクロイックミラー膜２２Ｂで反射されて赤領域膜２１Ｒ（発光体Ｒ）及び緑領域膜２１Ｇ（発光体Ｇ）に導かれる。
【００３９】
なお、第１実施形態では、赤領域膜２１Ｒ（発光体Ｒ）及び緑領域膜２１Ｇ（発光体Ｇ）は、ダイクロイックミラー膜２２Ａ上に形成される。しかしながら、赤領域膜２１Ｒ（発光体Ｒ）及び緑領域膜２１Ｇ（発光体Ｇ）は、ダイクロイックミラー膜２２Ｂ上に形成されてもよい。
【００４０】
図１に戻って、ロッドインテグレータ３０は、ガラスなどの透明部材によって構成される中実のロッドである。ロッドインテグレータ３０は、ロッドインテグレータ３０に入射する光を均一化する。なお、ロッドインテグレータ３０は、内壁がミラー面によって構成される中空のロッドであってもよい。
【００４１】
折り返しミラー４０は、ロッドインテグレータ３０から出射される光をＤＭＤ５０側に反射する。
【００４２】
ＤＭＤ５０は、複数の微小ミラーによって構成されており、複数の微小ミラーは可動式である。各微小ミラーは、基本的に１画素に相当する。ＤＭＤ５０は、各微小ミラーの角度を変更することによって、投写ユニット６０側に光を反射するか否かを切り替える。
【００４３】
投写ユニット６０は、ＤＭＤ５０に設けられる微小ミラーで反射された光（映像光）を投写面上に投写する。
【００４４】
なお、図１に示すように、投写型映像表示装置１００は、必要なレンズ群７０（レンズ７１〜レンズ７５）を有する。また、投写型映像表示装置１００は、必要なミラー群８０（ミラー８１〜ミラー８２）を有する。
【００４５】
第１実施形態では、光源装置は、少なくとも光源１０及びカラーホイール２０によって構成される。但し、光源装置は、光源１０及びカラーホイール２０以外にも、ロッドインテグレータ３０や折り返しミラー４０などを含んでもよい。
【００４６】
（作用及び効果）
第１実施形態では、ダイクロイックミラー膜２２Ａを透過する青成分光Ｂ（励起光）及びダイクロイックミラー膜２２Ｂで反射される青成分光Ｂ（励起光）は、赤領域膜２１Ｒ（発光体Ｒ）及び緑領域膜２１Ｇ（発光体Ｇ）に導かれる。言い換えると、ダイクロイックミラー膜２２Ａを透過する青成分光Ｂ（励起光）のうち、赤成分光Ｒ及び緑成分光Ｇ（発光光）の発光に寄与しなかった青成分光Ｂ（励起光）は、ダイクロイックミラー膜２２Ｂで反射されて赤領域膜２１Ｒ（発光体Ｒ）及び緑領域膜２１Ｇ（発光体Ｇ）に導かれる。従って、青成分光Ｂ（励起光）の利用効率が高まる。
【００４７】
［変更例１］
以下において、第１実施形態の変更例１について説明する。以下においては、第１実施形態に対する相違点について主として説明する。
【００４８】
具体的には、変更例１では、図４に示すように、ダイクロイックミラー膜２２Ａは、光源１０に近いホイール面に設けられる。なお、図４は、カラーホイール２０を側方から見た図である。
【００４９】
図４に示すように、ダイクロイックミラー膜２２Ａ及びダイクロイックミラー膜２２Ｂは、カラーホイール２０の回転中において赤領域膜２１Ｒ（発光体Ｒ）及び緑領域膜２１Ｇ（発光体Ｇ）と同期する位置にのみ設けられていてもよい。言い換えると、ダイクロイックミラー膜２２Ａ及びダイクロイックミラー膜２２Ｂは、カラーホイール２０の回転中において青成分光Ｂ（励起光）が照射されるべき領域に設けられていればよい。
【００５０】
［変更例２］
以下において、第１実施形態の変更例２について説明する。以下においては、第１実施形態に対する相違点について主として説明する。
【００５１】
具体的には、変更例２では、図５及び図６に示すように、赤領域膜２１Ｒ（発光体Ｒ）及び緑領域膜２１Ｇ（発光体Ｇ）は、第１回転盤２０Ａ及び第２回転盤２０Ｂの双方に設けられる。
【００５２】
図５に示すように、ダイクロイックミラー膜２２Ａが光源１０から遠いホイール面に設けられており、ダイクロイックミラー膜２２Ｂが光源１０に近いホイール面に設けられていてもよい。
【００５３】
或いは、図６に示すように、ダイクロイックミラー膜２２Ａが光源１０に近いホイール面に設けられており、ダイクロイックミラー膜２２Ｂが光源１０から遠いホイール面に設けられていてもよい。
【００５４】
すなわち、青成分光Ｂ（励起光）の光路上において、赤領域膜２１Ｒ（発光体Ｒ）及び緑領域膜２１Ｇ（発光体Ｇ）がダイクロイックミラー膜２２Ａとダイクロイックミラー膜２２Ｂとの間に挟まれていればよい。
【００５５】
（作用及び効果）
変更例２では、赤領域膜２１Ｒ（発光体Ｒ）及び緑領域膜２１Ｇ（発光体Ｇ）は、第１回転盤２０Ａ及び第２回転盤２０Ｂの双方に設けられる。言い換えると、発光体（発光体Ｒ及び発光体Ｇ）を含む膜が第１回転盤２０Ａ及び第２回転盤２０Ｂの双方に設けられる。従って、発光体（発光体Ｒ及び発光体Ｇ）を含む１枚の膜の膜厚に限界があっても、全体として、発光体（発光体Ｒ及び発光体Ｇ）を含む膜の膜厚を増大することができる。従って、青成分光Ｂ（励起光）の利用効率が高まる。
【００５６】
［変更例３］
以下において、第１実施形態の変更例３について説明する。以下においては、第１実施形態に対する相違点について主として説明する。
【００５７】
具体的には、第１実施形態では、カラーホイール２０は、１対の回転盤（第１回転盤２０Ａ及び第２回転盤２０Ｂ）を有する。これに対して、変更例２では、カラーホイールは、１つの回転盤を有する。
【００５８】
詳細には、図７及び図８に示すように、カラーホイール２０に代えて、カラーホイール１２０が用いられる。また、カラーホイール１２０に対して光源１０の反対側には、ダイクロイックミラー１３１及び反射ミラー１３２が設けられる。さらに、カラーホイール１２０に対して光源１０の側には、反射ミラー１３３が設けられる。
【００５９】
なお、図７は、カラーホイール１２０を側方から見た図であり、図８は、回転盤１２０Ｘを図７に示すＢ側から見た図である。
【００６０】
カラーホイール１２０は、カラーホイール２０と同様に、励起光（青成分光Ｂ）の光軸に沿って延びる回転軸Ｘを中心として回転するように構成される。カラーホイール１２０は、１つの回転盤１２０Ｘを有する。また、カラーホイール１２０は、赤領域膜１２１Ｒと、緑領域膜１２１Ｇと、青領域１２１Ｂと、ダイクロイックミラー膜１２２と、反射ミラー膜１２３とを有する。
【００６１】
赤領域膜１２１Ｒ、緑領域膜１２１Ｇ及び青領域１２１Ｂは、第１実施形態で説明した赤領域膜２１Ｒ、緑領域膜２１Ｇ及び青領域２１Ｂと同様である。
【００６２】
ダイクロイックミラー膜１２２は、ダイクロイックミラー膜２２Ａと同様に、青成分光Ｂ（励起光）を透過して赤成分光Ｒ及び緑成分光Ｇ（発光光）を反射する第１反射体である。
【００６３】
ダイクロイックミラー膜１２２は、図７に示すように、例えば、光源１０から遠いホイール面に設けられる。また、ダイクロイックミラー膜１２２は、図８に示すように、回転軸Ｘを中心とする円環領域のうち、所定の中心角θＲ＋θＧを有する領域である。言い換えると、ダイクロイックミラー膜１２２は、カラーホイール２０の回転中において赤領域膜２１Ｒ（発光体Ｒ）及び緑領域膜２１Ｇ（発光体Ｇ）と同期する位置にのみ設けられる。
【００６４】
反射ミラー膜１２３は、青成分光Ｂ（励起光）を少なくとも反射する第２反射体である。反射ミラー膜１２３は、ダイクロイックミラー膜２２Ｂと異なり、赤成分光Ｒ及び緑成分光Ｇ（発光光）を透過する必要がない。
【００６５】
反射ミラー膜１２３は、図７に示すように、例えば、光源１０から遠いホイール面に設けられる。また、反射ミラー膜１２３は、図８に示すように、回転軸Ｘを中心とする円環領域のうち、所定の中心角θＲ＋θＧを有する領域である。反射ミラー膜１２３は、カラーホイール２０の回転中において、反射ミラー１３２で反射される青成分光Ｂ（励起光）が照射されるべき領域である。
【００６６】
ダイクロイックミラー１３１は、赤成分光Ｒ及び緑成分光Ｇ（発光光）を透過して青成分光Ｂ（励起光）を反射する。ダイクロイックミラー１３１は、赤領域膜２１Ｒ（発光体Ｒ）及び緑領域膜２１Ｇ（発光体Ｇ）に対して、回転軸Ｘの延長方向に配置される。
【００６７】
ダイクロイックミラー１３１は、回転軸Ｘを中心とする放射方向において、反射ミラー１３２と並んで設けられる。図８では、ダイクロイックミラー１３１は、回転軸Ｘを中心とする放射方向において、反射ミラー１３２の内側に設けられる。
【００６８】
反射ミラー１３２は、青成分光Ｂ（励起光）を反射する。反射ミラー１３２は、ダイクロイックミラー１３１は、反射ミラー膜１２３に対して、回転軸Ｘの延長方向に配置される。
【００６９】
反射ミラー１３３は、青成分光Ｂを反射する。すなわち、反射ミラー１３３は、赤成分光Ｒ及び緑成分光Ｇとは異なる光路に青成分光Ｂを導く。
【００７０】
但し、ダイクロイックミラー膜１２２、赤領域膜２１Ｒ（及び緑領域膜２１Ｇ）及びダイクロイックミラー１３１の位置は、回転軸Ｘを中心とする放射方向において、反射ミラー１３２、青領域１２１Ｂ及び反射ミラー１３３の位置と反転していてもよい。このようなケースでは、ダイクロイックミラー１３１は、回転軸Ｘを中心とする放射方向において、反射ミラー１３２の外側に設けられる。
【００７１】
ここで、ダイクロイックミラー１３１は、赤領域膜２１Ｒ（発光体Ｒ）及び緑領域膜２１Ｇ（発光体Ｇ）から発光された赤成分光Ｒ及び緑成分光Ｇ（発光光）を透過する。ダイクロイックミラー１３１は、赤成分光Ｒ及び緑成分光Ｇ（発光光）の発光に寄与しなかった青成分光Ｂ（励起光）を反射ミラー１３２側に反射する。
【００７２】
反射ミラー１３２は、赤成分光Ｒ及び緑成分光Ｇ（発光光）の発光に寄与しなかった青成分光Ｂ（励起光）を反射ミラー膜１２３側に反射する。反射ミラー１３２は、反射ミラー膜１２３で反射された青成分光Ｂ（励起光）をダイクロイックミラー１３１側に反射する。
【００７３】
ダイクロイックミラー１３１は、反射ミラー膜１２３及び反射ミラー１３２で反射された青成分光Ｂ（励起光）を赤領域膜２１Ｒ（発光体Ｒ）及び緑領域膜２１Ｇ（発光体Ｇ）側に反射する。
【００７４】
このように、赤成分光Ｒ及び緑成分光Ｇの発光期間（表示期間）においては、赤成分光Ｒ及び緑成分光Ｇ（発光光）の発光に寄与しなかった青成分光Ｂ（励起光）は、ダイクロイックミラー１３１及び反射ミラー１３２を経由して反射ミラー膜１２３で折り返される。これによって、赤成分光Ｒ及び緑成分光Ｇ（発光光）の発光に寄与しなかった青成分光Ｂ（励起光）は、赤領域膜２１Ｒ（発光体Ｒ）及び緑領域膜２１Ｇ（発光体Ｇ）に導かれる。
【００７５】
一方で、青成分光Ｂの発光期間（表示期間）においては、ダイクロイックミラー１３１及び反射ミラー１３２で反射された青成分光Ｂは、青領域１２１Ｂを透過する。青成分光Ｂの光路は、赤成分光Ｒ及び緑成分光Ｇの光路と異なる。
【００７６】
なお、投写型映像表示装置は、第１実施形態と異なることに留意すべきである。但し、当業者であれば、カラーホイール１２０を用いる投写型映像表示装置を実施することが可能であることは勿論である。
【００７７】
また、変更例３では、ダイクロイックミラー１３１及び反射ミラー１３２は、赤領域膜２１Ｒ（発光体Ｒ）及び緑領域膜２１Ｇ（発光体Ｇ）から発光された赤成分光Ｒ及び緑成分光Ｇ（発光光）を透過して、赤領域膜２１Ｒ（発光体Ｒ）及び緑領域膜２１Ｇ（発光体Ｇ）を透過する青成分光Ｂ（励起光）を反射ミラー膜１２３に導き、反射ミラー膜１２３で反射された青成分光Ｂ（励起光）を赤領域膜２１Ｒ（発光体Ｒ）及び緑領域膜２１Ｇ（発光体Ｇ）に導く導光ミラーを構成する。
【００７８】
（作用及び効果）
変更例３では、赤成分光Ｒ及び緑成分光Ｇ（発光光）の発光に寄与しなかった青成分光Ｂ（励起光）は、反射ミラー膜１２３で折り返されて、赤領域膜２１Ｒ（発光体Ｒ）及び緑領域膜２１Ｇ（発光体Ｇ）に導かれる。従って、第１実施形態と同様に、青成分光Ｂ（励起光）の利用効率が高まる。
【００７９】
［変更例４］
以下において、第１実施形態の変更例４について説明する。以下においては、第１実施形態に対する相違点について主として説明する。
【００８０】
変更例４では、図９に示すように、カラーホイール２０に代えて、カラーホイール２２０が用いられる。なお、図９は、カラーホイール２２０を側方から見た図である。
【００８１】
カラーホイール２２０は、カラーホイール２０と同様に、励起光（青成分光Ｂ）の光軸に沿って延びる回転軸Ｘを中心として回転するように構成される。
【００８２】
変更例４では、カラーホイール２２０は、第１回転盤２２０Ａと、第２回転盤２２０Ｂと、外周封止部材２２０Ｃとを有する。第１回転盤２２０Ａ及び第２回転盤２２０Ｂは、第１回転盤２０Ａ及び第２回転盤２０Ｂと同様である。外周封止部材２２０Ｃは、回転軸Ｘを中心とする放射方向において、第１回転盤２２０Ａの端部と第２回転盤２２０Ｂの端部とに亘って設けられる。また、外周封止部材２２０Ｃは、回転軸Ｘを中心とする周方向において連続している。
【００８３】
言い換えると、第１回転盤２２０Ａ、第２回転盤２２０Ｂ及び外周封止部材２２０Ｃは、平たい円柱の外形を構成する。第１回転盤２２０Ａ、第２回転盤２２０Ｂ及び外周封止部材２２０Ｃによって構成される円柱は中空であることは勿論である。
【００８４】
カラーホイール２２０は、赤発光体２２１Ｒと、緑発光体２２１Ｇと、青領域２２１Ｂ（不図示）と、ダイクロイックミラー膜２２２Ａと、ダイクロイックミラー膜２２２Ｂとを有する。赤発光体２２１Ｒ、緑発光体２２１Ｇ、青領域２２１Ｂ、ダイクロイックミラー膜２２２Ａ及びダイクロイックミラー膜２２２Ｂは、赤領域膜２１Ｒ、緑領域膜２１Ｇ、青領域２１Ｂ、ダイクロイックミラー膜２２Ａ及びダイクロイックミラー膜２２Ｂと同様である。
【００８５】
なお、変更例４では、第１回転盤２２０Ａ、第２回転盤２０Ｂ及び外周封止部材２２０Ｃによって構成される中空の円柱内に、赤領域膜２１Ｒを構成する赤用の発光体粉末及び緑領域膜２１Ｇを構成する緑用の発光体粉末が封入される。
【００８６】
（作用及び効果）
変更例４では、第１回転盤２２０Ａ、第２回転盤２０Ｂ及び外周封止部材２２０Ｃによって構成される中空の円柱内に、赤領域膜２１Ｒ及び緑領域膜２１Ｇが封入される。従って、発光体（発光体Ｒ及び発光体Ｇ）を含む１枚の膜の膜厚が制限されずに、発光体（発光体Ｒ及び発光体Ｇ）を含む膜の膜厚を増大することができる。従って、青成分光Ｂ（励起光）の利用効率が高まる。
【００８７】
［第２実施形態の概要］
第２実施形態に係る光源装置は、励起光を出射する光源と、回転軸を中心として回転する回転体とを備える。回転体は、励起光の光路上において、光源に近い側に設けられた第１回転盤と、光源から遠い側に設けられた第２回転盤とを有する。発光体は、第１回転盤及び第２回転盤の双方に設けられる。
【００８８】
第２実施形態によれば、発光体は、第１回転盤及び第２回転盤の双方に設けられる。言い換えると、発光体を含む膜が第１回転盤及び第２回転盤の双方に設けられる。従って、発光体を含む１枚の膜の膜厚に限界があっても、全体として、発光体を含む膜の膜厚を増大することができる。従って、励起光の利用効率が高まる。
【００８９】
［第２実施形態の詳細］
以下において、第２実施形態について説明する。以下においては、第１実施形態に対する相違点について主として説明する。
【００９０】
具体的には、第１実施形態では、カラーホイール２０は、ダイクロイックミラー膜２２Ａ及びダイクロイックミラー膜２２Ｂを有する。これに対して、第２実施形態では、ダイクロイックミラー膜２２Ｂが省略される。
【００９１】
詳細には、図１０及び図１１に示すように、カラーホイール２０に代えて、カラーホイール３２０が用いられる。なお、図１０及び図１１は、カラーホイール３２０を側方から見た図である。
【００９２】
カラーホイール３２０は、カラーホイール２０と同様に、励起光（青成分光Ｂ）の光軸に沿って延びる回転軸Ｘを中心として回転するように構成される。カラーホイール３２０は、赤成分光Ｒ、緑成分光Ｇ及び青成分光Ｂを光源１０の反対側に出射する透過型回転体である。
【００９３】
図１０及び図１１に示すように、カラーホイール３２０は、第１回転盤３２０Ａ及び第２回転盤３２０Ｂを有する。第１回転盤３２０Ａ及び第２回転盤３２０Ｂは、第１回転盤２０Ａ及び第２回転盤２０Ｂと同様である。
【００９４】
また、カラーホイール３２０は、赤領域膜３２１Ｒと、緑領域膜３２１Ｇと、青領域３２１Ｂ（不図示）と、ダイクロイックミラー膜３２２Ａを有する。赤領域膜３２１Ｒ、緑領域膜３２１Ｇ、青領域３２１Ｂ及びダイクロイックミラー膜３２２Ａは、赤領域膜２１Ｒ、緑領域膜２１Ｇ、青領域２１Ｂ及びダイクロイックミラー膜２２Ａと同様である。
【００９５】
但し、第２実施形態では、赤領域膜３２１Ｒ（発光体Ｒ）及び緑領域膜３２１Ｇ（発光体Ｇ）は、第１回転盤３２０Ａ及び第２回転盤３２０Ｂの双方に設けられる。
【００９６】
なお、ダイクロイックミラー膜２２Ａは、図１０に示すように、第１回転盤３２０Ａのホイール面のうち、光源１０から遠い側のホイール面に設けられてもよい。或いは、ダイクロイックミラー膜２２Ａは、図１１に示すように、第１回転盤３２０Ａのホイール面のうち、光源１０に近い側のホイール面に設けられてもよい。
【００９７】
（作用及び効果）
第２実施形態では、赤領域膜３２１Ｒ（発光体Ｒ）及び緑領域膜３２１Ｇ（発光体Ｇ）は、第１回転盤３２０Ａ及び第２回転盤３２０Ｂの双方に設けられる。従って、発光体（発光体Ｒ及び発光体Ｇ）を含む１枚の膜の膜厚に限界があっても、全体として、発光体（発光体Ｒ及び発光体Ｇ）を含む膜の膜厚を増大することができる。従って、青成分光Ｂ（励起光）の利用効率が高まる。
【００９８】
［変更例１］
以下において、第２実施形態の変更例１において説明する。以下においては、第２実施形態に対する相違点について主として説明する。
【００９９】
具体的には、第２実施形態では、透過型回転体について説明した。これに対して、変更例１では、反射型回転体について説明する。
【０１００】
詳細には、図１２及び図１３に示すように、カラーホイール３２０に代えて、カラーホイール４２０が用いられる。なお、図１２及び図１３は、カラーホイール４２０を側方から見た図である。
【０１０１】
カラーホイール４２０は、カラーホイール３２０と同様に、励起光（青成分光Ｂ）の光軸に沿って延びる回転軸Ｘを中心として回転するように構成される。カラーホイール４２０は、赤成分光Ｒ、緑成分光Ｇ及び青成分光Ｂを光源１０側に出射する反射型回転体である。
【０１０２】
図１２及び図１３に示すように、カラーホイール４２０は、第１回転盤４２０Ａ及び第２回転盤４２０Ｂを有する。第１回転盤４２０Ａ及び第２回転盤４２０Ｂは、第１回転盤３２０Ａ及び第２回転盤３２０Ｂと同様である。
【０１０３】
また、カラーホイール４２０は、赤領域膜４２１Ｒと、緑領域膜４２１Ｇと、青領域４２１Ｂ（不図示）と、反射ミラー膜４２２Ｂを有する。赤領域膜４２１Ｒ、緑領域膜４２１Ｇ、青領域４２１Ｂは、赤領域膜３２１Ｒ、緑領域膜３２１Ｇ及び青領域３２１Ｂと同様である。
【０１０４】
但し、変更例１では、赤領域膜３２１Ｒ（発光体Ｒ）及び緑領域膜３２１Ｇ（発光体Ｇ）は、第１回転盤３２０Ａ及び第２回転盤３２０Ｂの双方に設けられる。
【０１０５】
反射ミラー膜４２２Ｂは、第２回転盤４２０Ｂに設けられる。反射ミラー膜４２２Ｂは、回転軸Ｘを中心とする円環領域であり、青成分光Ｂ（或いは、赤成分光Ｒ、緑成分光Ｇ）が照射されるべき領域である。反射ミラー膜４２２Ｂは、赤成分光Ｒ、緑成分光Ｇ及び青成分光Ｂを反射する。
【０１０６】
なお、変更例１では、赤領域膜４２１Ｒ及び緑領域膜４２１Ｇは、図１２に示すように、第１回転盤３２０Ａのホイール面のうち、光源１０から遠い側のホイール面に設けられるとともに、第２回転盤３２０Ｂのホイール面のうち、光源１０に近い側のホイール面に設けられてもよい。
【０１０７】
或いは、赤領域膜４２１Ｒ及び緑領域膜４２１Ｇは、図１３に示すように、第１回転盤３２０Ａのホイール面の双方に設けられるとともに、第２回転盤３２０Ｂのホイール面のうち、光源１０に近い側のホイール面に設けられてもよい。
【０１０８】
（作用及び効果）
変更例１では、反射型回転体を用いる場合であっても、第２実施形態と同様に、青成分光Ｂ（励起光）の利用効率が高まる。
【０１０９】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１１０】
実施形態では、光変調素子として、ＤＭＤ５０が例示されているが、実施形態は、これに限定されるものではない。光変調素子は、１つの液晶パネル或いは３つの液晶パネル（赤液晶パネル、緑液晶パネル及び青液晶パネル）であってもよい。液晶パネルは、透過型であってもよく、反射型であってもよい。
【０１１１】
実施形態では、励起光として青成分光Ｂを用いるケースについて説明した。しかしながら、実施形態は、これに限定されるものではない。例えば、励起光として紫外成分光を用いてもよい。このようなケースでは、紫外成分光に応じて青成分光Ｂを出射する発光体が用いられる。
【符号の説明】
【０１１２】
１０…光源、２０…カラーホイール、２０Ａ…第１回転盤、２０Ｂ…第２回転盤、２１Ｂ…青領域、２１Ｇ…緑領域膜、２１Ｒ…赤領域膜、２２Ａ…ダイクロイックミラー膜、２２Ｂ…ダイクロイックミラー膜、３０…ロッドインテグレータ、４０…折り返しミラー、５０…ＤＭＤ、６０…投写ユニット、７０…レンズ群、８０…ミラー群、１００…投写型映像表示装置、１２０…カラーホイール、１２０Ｘ…回転盤、１２１Ｂ…青領域、１２１Ｇ…緑領域膜、１２１Ｒ…赤領域膜、１２２…ダイクロイックミラー膜、１２３…反射ミラー膜、１３１…ダイクロイックミラー、１３２…反射ミラー、２２０…カラーホイール、２２０Ａ…第１回転盤、２２０Ｂ…第２回転盤、２２０Ｃ…外周封止部材、２２１Ｂ…青領域、２２１Ｇ…緑領域膜、２２１Ｒ…赤領域膜、２２２Ａ…ダイクロイックミラー膜、２２２Ｂ…ダイクロイックミラー膜、３２０…カラーホイール、３２０Ａ…第１回転盤、３２０Ｂ…第２回転盤、３２１Ｂ…青領域、３２１Ｇ…緑領域膜、３２１Ｒ…赤領域膜、３２２Ａ…ダイクロイックミラー膜、４２０…カラーホイール、４２０Ａ…第１回転盤、４２０Ｂ…第２回転盤、４２１Ｂ…青領域、４２１Ｇ…緑領域膜、４２１Ｒ…赤領域膜、４２２Ｂ…反射ミラー膜
【図１】
2012159685.tif 000003
【図２】
2012159685.tif 000004
【図３】
2012159685.tif 000005
【図４】
2012159685.tif 000006
【図５】
2012159685.tif 000007
【図６】
2012159685.tif 000008
【図７】
2012159685.tif 000009
【図８】
2012159685.tif 000010
【図９】
2012159685.tif 000011
【図１０】
2012159685.tif 000012
【図１１】
2012159685.tif 000013
【図１２】
2012159685.tif 000014
【図１３】
2012159685.tif 000015